(57)【特許請求の範囲】
【請求項１】
第１の半導体スイッチング素子と第２の半導体スイッチング素子とを直列接続して構成される上下アームに流れる電流の検出値を第１の時定数でフィルタする第１のフィルタ回路と、
前記検出値を前記第１の時定数よりも長い第２の時定数でフィルタする第２のフィルタ回路と、
第１の過電流判定値を設定する第１の判定値設定部と、
前記第１の過電流判定値よりも小さい第２の過電流判定値を設定する第２の判定値設定部と
を備え、
前記第１の過電流判定値を超える前記検出値が検出されてから、前記第１の時定数経過後に、前記第１の半導体スイッチング素子の動作を停止し、
前記第２の過電流判定値を超える前記検出値が検出されてから、前記第２の時定数経過後に、前記第２の半導体スイッチング素子の動作を停止し、
前記第１の時定数経過後から前記第２の時定数経過前において、前記第１の過電流判定値を超える前記検出値が検出されない場合には、前記第１の半導体スイッチング素子及び前記第２の半導体スイッチング素子の動作を停止しない過電流保護装置。
【請求項２】
請求項１に記載の過電流保護装置と、
前記上下アームを有すると共に、直流電圧を交流電圧に変換して出力するインバータ回路と
を備えるインバータ装置。
【請求項３】
前記第２の半導体スイッチング素子は、前記上下アームの内、下アームを構成する半導体スイッチング素子である請求項２に記載のインバータ装置。
【請求項４】
前記第１の半導体スイッチング素子及び前記第２の半導体スイッチング素子はワイドバンドギャップ半導体で構成される請求項２又は３に記載のインバータ装置。
【請求項５】
請求項２から４の何れか一項に記載のインバータ装置を備えた空気調和機。
【請求項６】
請求項１に記載の過電流保護装置と、
前記上下アームを有すると共に、交流電圧を直流電圧に変換して出力する整流回路と
を備えるコンバータ装置。
【請求項７】
前記第２の半導体スイッチング素子は、前記上下アームの内、下アームを構成する半導体スイッチング素子である請求項６に記載のコンバータ装置。
【請求項８】
前記第１の半導体スイッチング素子及び前記第２の半導体スイッチング素子はワイドバンドギャップ半導体で構成される請求項６又は７に記載のコンバータ装置。
【請求項９】
請求項６から８の何れか一項に記載のコンバータ装置を備えた空気調和機。
【発明の詳細な説明】
【技術分野】
【０００１】
本発明は、過電流から半導体スイッチング素子を保護する過電流保護装置、インバータ装置、コンバータ装置及び空気調和機に関する。
【背景技術】
【０００２】
特許文献１に開示される従来のインバータ装置は、上アーム制御信号及び下アーム制御信号を生成する制御部と、過電流を検出したとき上アーム遮断信号及び下アーム遮断信号を生成する遮断信号生成回路とを備える。遅延回路を用いて下アーム遮断信号を遅延させることにより上アーム遮断信号が得られ、この下アーム遮断信号により下アーム制御信号が遮断された時点から一定時間経過後に、上アーム制御信号が遮断される。
【先行技術文献】
【特許文献】
【０００３】
【特許文献１】特開２００８−１１８８３４号公報
【発明の概要】
【発明が解決しようとする課題】
【０００４】
しかしながら特許文献１に開示される従来のインバータ装置では１つの過電流判定値が用いられる。すなわち、従来のインバータ装置では、モータを保護するための判定値と半導体スイッチング素子を保護するための判定値との内、値が小さい方の判定値が過電流判定値とされる。上下アームが短絡したときに流れる過大な短絡電流を「Ｉａ」とし、磁石が内蔵されるモータに流せる電流を「Ｉｂ」とした場合、上下アームに短絡電流Ｉａが流れたときには高速に電流を遮断する必要がある。「高速」とは、フィルタ回路の時定数を例えば１［ｕｓ］以下に設定することを意味する。一方でＩｂは、モータ磁石の減磁の制約等で決められる。例えば、Ｉｂ＜Ｉａの場合、モータを保護するためには過電流判定値をＩｂに設定する必要があり、また前記の例では上下アームの短絡から半導体スイッチング素子を保護するためにはフィルタ回路の時定数を１［ｕｓ］以下に設定する必要がある。この場合、過電流判定値がＩａよりも低いＩｂに設定され、またフィルタ時定数は短いため、ノイズ等の影響で過電流保護が頻繁に働く、すなわち過電流保護が不要動作する、という問題があった。【０００５】
本発明は、上記に鑑みてなされたものであって、過電流保護の不要動作を防ぎながら半導体スイッチング素子を過電流から保護できる過電流保護装置を得ることを目的とする。
【課題を解決するための手段】
【０００６】
上述した課題を解決し、目的を達成するために、本発明の過電流保護装置は、第１の半導体スイッチング素子と第２の半導体スイッチング素子とを直列接続して構成される上下アームに流れる電流の検出値を第１の時定数でフィルタする第１のフィルタ回路と、検出値を第１の時定数よりも長い第２の時定数でフィルタする第２のフィルタ回路と、第１の過電流判定値を設定する第１の判定値設定部と、第１の過電流判定値よりも小さい第２の過電流判定値を設定する第２の判定値設定部とを備え、第１の過電流判定値を超える検出値が検出されてから、第１の時定数経過後に、第１の半導体スイッチング素子の動作を停止し、第２の過電流判定値を超える検出値が検出されてから、第２の時定数経過後に、第２の半導体スイッチング素子の動作を停止し、第１の時定数経過後から第２の時定数経過前において、第１の過電流判定値を超える検出値が検出されない場合には、第１の半導体スイッチング素子及び第２の半導体スイッチング素子の動作を停止しない。
【発明の効果】
【０００７】
本発明に係る過電流保護装置は、過電流保護の不要動作を防ぎながら半導体スイッチング素子を過電流から保護できるという効果を奏する。
【図面の簡単な説明】
【０００８】
【図１】本発明の実施の形態１に係る過電流保護装置及びインバータ装置の構成例を示す図
【図２】図１に示す過電流保護装置の構成例を示す図
【図３】本発明の実施の形態１に係る過電流保護装置の過電流保護動作を示す図
【図４】過電流判定値及び過電流保護動作の別の例を示す図
【図５】図３，４に示すＩ１とＩ２と過電流遮断動作領域との関係を示す図
【図６】本発明の実施の形態２に係る過電流保護回路の構成例を示す図
【図７】本発明の実施の形態３に係るコンバータ装置の構成例を示す図
【図８】本発明の実施の形態４に係る空気調和機の構成例を示す図
【発明を実施するための形態】
【０００９】
以下に、本発明の実施の形態に係る過電流保護装置、インバータ装置、コンバータ装置及び空気調和機を図面に基づいて詳細に説明する。なお、この実施の形態によりこの発明が限定されるものではない。
【００１０】
実施の形態１．
図１は本発明の実施の形態１に係る過電流保護装置及びインバータ装置の構成例を示す図である。図１に示すインバータ装置１００は、交流電源１から供給される交流電圧を整流し、整流された電圧を交流電圧に変換して負荷であるモータ２００へ供給するモータ駆動装置である。モータ２００には、３相同期モータ又は３相誘導モータを例示できる。インバータ装置１００は、交流電源１を整流する整流器２と、整流器２で整流された電圧を平滑するコンデンサ３と、インバータ回路１１０と、過電流保護装置１２０とを備える。
【００１１】
インバータ回路１１０は、上アーム回路１８及び下アーム回路１９を備える。上アーム回路１８は、３つの半導体スイッチング素子６〜８と、３つの半導体スイッチング素子６〜８のそれぞれに並列接続される３つのダイオード１２〜１４とを備える。下アーム回路１９は、３つの半導体スイッチング素子９〜１１と、３つの半導体スイッチング素子９〜１１のそれぞれに並列接続される３つのダイオード１５〜１７とを備える。
【００１２】
半導体スイッチング素子６と半導体スイッチング素子９との接続点にはＵ相配線に接続され、半導体スイッチング素子７と半導体スイッチング素子１０との接続点にはＶ相配線に接続され、半導体スイッチング素子８と半導体スイッチング素子１１との接続点にはＷ相配線に接続される。
【００１３】
なお、上アーム回路１８及び下アーム回路１９のそれぞれを構成する半導体スイッチング素子の数は３つに限定されず、またダイオード１２〜１４は半導体スイッチング素子６〜８に内蔵される寄生ダイオードでもよく、ダイオード１５〜１７は半導体スイッチング素子９〜１１に内蔵される寄生ダイオードでもよい。
【００１４】
過電流保護装置１２０は、インバータ回路１１０からコンデンサ３のマイナス側に流れこむ電流を検出する電流検出器２０と、第１の時定数ｔ１が設定される第１のフィルタ回路２１と、第２の時定数ｔ２が設定される第２のフィルタ回路２２とを備える。また過電流保護装置１２０は、上アーム回路１８を構成する３つの半導体スイッチング素子６〜８を駆動する駆動信号３０を遮断する第１の遮断回路２３と、下アーム回路１９を構成する３つの半導体スイッチング素子９〜１１を駆動する駆動信号３１を遮断する第２の遮断回路２４と、インバータ回路１１０を制御するための制御部５とを備える。
【００１５】
第１の時定数ｔ１と第２の時定数ｔ２は、過電流が発生した時点からインバータ装置１００内の半導体スイッチング素子が遮断されるまでの時間である。以下では、「第１の時定数ｔ１」を単に「ｔ１」と称し、「第２の時定数ｔ２」を単に「ｔ２」と称する場合がある。
【００１６】
制御部５は、上アーム回路１８をＯＮ／ＯＦＦ制御するための制御信号２７を第１の遮断回路２３に出力する。電流検出器２０からの出力は第１のフィルタ回路２１及び第２のフィルタ回路２２に入力される。電流検出器２０からの出力は、第１の半導体スイッチング素子と第２の半導体スイッチング素子とを直列接続して構成される上下アームに流れる電流の検出値である。「第１の半導体スイッチング素子」は、半導体スイッチング素子６〜８のそれぞれに対応し、「第２の半導体スイッチング素子」は、半導体スイッチング素子９〜１１のそれぞれに対応する。
【００１７】
第１のフィルタ回路２１の出力は第１の遮断回路２３に入力され、第１の遮断回路２３が過電流と判定しない場合、駆動信号３０は制御信号２７と相似の駆動信号となり、第１の遮断回路２３が過電流と判定した場合、駆動信号３０を遮断する。これにより上アーム回路１８の動作が停止する。
【００１８】
同様に、第２のフィルタ回路２２の出力は第２の遮断回路２４に入力され、第２の遮断回路２４が過電流と判定しない場合、駆動信号３１は制御信号２８と相似の駆動信号となり、第２の遮断回路２４が過電流と判定した場合、駆動信号３１を遮断する。これにより下アーム回路１９の動作が停止する。
【００１９】
図２は図１に示す過電流保護装置の構成例を示す図である。図２に示す過電流保護装置１２０によれば、制御信号２７，２８及び駆動信号３０，３１がＨｉの場合には半導体スイッチング素子がＯＮとなり、制御信号２７，２８及び駆動信号３０、３１がＬｏの場合には半導体スイッチング素子がＯＦＦとなり、遮断信号２５，２６，４１，４２がＨｉの場合には正常状態となり、遮断信号２５，２６，４１，４２がＬｏの場合には遮断状態となる。但しこれらの論理の組合せは一例であり、適宜変更可能である。
【００２０】
第１の遮断回路２３は、第１の判定値設定部３４、比較器３２、論理回路３７及び第１の駆動信号生成部３８を備える。第２の遮断回路２４は、第２の判定値設定部３５、比較器３３、ラッチ回路２９及び第２の駆動信号生成部３９を備える。
【００２１】
第１のフィルタ回路２１及び第２のフィルタ回路２２は、ＲＣフィルタで構成される。第１の判定値設定部３４は、上アーム回路１８の過電流遮断用の第１の判定値３４ａを出力する。第１の判定値３４ａは、抵抗の分圧比で設定される。後述する上アーム過電流判定値Ｉ１は、第１の判定値３４ａにより設定される。第２の判定値設定部３５は、下アーム回路１９の過電流遮断用の第２の判定値３５ａを出力する。第２の判定値３５ａは、抵抗の分圧比で設定される。後述する下アーム過電流判定値Ｉ２は、第２の判定値３５ａにより設定される。
【００２２】
第１のフィルタ回路２１の出力と第１の判定値３４ａとが比較器３２で比較され、第１のフィルタ回路２１の出力が第１の判定値３４ａを超えた場合、比較器３２の出力である遮断信号２５がＬｏとなる。論理回路３７は、ラッチ回路２９から出力される遮断信号２６と遮断信号２５との論理積をとり、遮断信号２６及び遮断信号２５がＬｏのとき、論理回路３７はＬｏレベルの遮断信号４２を出力する。第１の駆動信号生成部３８は、遮断信号４２と制御信号２７との論理積をとり、駆動信号３０がＬｏになることで、図１に示す上アーム回路１８が遮断する。
【００２３】
同様に、第２のフィルタ回路２２の出力と第２の判定値３５ａとが比較器３３で比較され、第２のフィルタ回路２２の出力が第２の判定値３５ａを超えた場合、比較器３３の出力である遮断信号４１がＬｏとなる。制御部５からのリセット信号４０によりラッチ回路２９の保持状態がリセットされていない場合、ラッチ回路２９から出力される遮断信号２６がＬｏとなる。第２の駆動信号生成部３９は、遮断信号２６と制御信号２８との論理積をとり、駆動信号３１がＬｏになることで、図１に示す下アーム回路１９が遮断する。
【００２４】
ここで、ラッチ回路２９は、遮断信号４１がＨｉからＬｏになったときに、Ｌｏレベルの遮断信号２６を出力する回路であり、制御部５からのリセット信号４０により保持状態がリセットされるものでもよいし、一定時間、例えば１[ｍｓ]保持した後に保持状態をリセットするものでも良い。図２では、遮断信号２６が論理回路３７に入力されることで、下アーム回路１９の遮断と共に上アーム回路１８が遮断する回路の構成例を示しているが、論理回路３７を設けずに、遮断信号２５を直接第１の駆動信号生成部３８に入力してもよい。
【００２５】
また過電流保護装置１２０では、遮断信号２５，２６を制御部５に入力することにより、制御部５が遮断状態、すなわち過電流が発生したことを検出できる。第１の判定値３４ａ及び第２の判定値３５ａの設定によっては、上アーム回路１８と下アーム回路１９の何れかが遮断状態で停止となるため、モータ２００の制御が不安定になる可能性がある。この場合、制御部５が遮断状態を検出し、半導体スイッチング素子をＯＦＦ状態にする制御信号２７，２８、すなわちＬｏレベルの制御信号２７，２８を出力することで、インバータ回路１１０全体を停止させることもできる。
【００２６】
図３は本発明の実施の形態１に係る過電流保護装置の過電流保護動作を示す図である。図３には上から順に、制御信号２７、駆動信号３０と、上アームの遮断信号２５と、電流検出器２０の出力と、下アームの遮断信号２６と、制御信号２８と、駆動信号３１とが示される。第１の過電流判定値である上アーム過電流判定値Ｉ１は、図２に示す第１の判定値３４ａにより設定される。以下では「上アーム過電流判定値Ｉ１」を単に「Ｉ１」と称する場合がある。第２の過電流判定値である下アーム過電流判定値Ｉ２は、図２に示す第２の判定値３５ａにより設定される。以下では「下アーム過電流判定値Ｉ２」を単に「Ｉ２」と称する場合がある。
【００２７】
図３では、Ｉ１とＩ２が、Ｉ１＞Ｉ２とされる。上アーム過電流遮断解除値Ｉ１’は、Ｉ１以下に設定される。以下では「上アーム過電流遮断解除値Ｉ１’」を単に「Ｉ１’」と称する場合がある。ｔ１は第１のフィルタ回路２１で設定され、ｔ２は第２のフィルタ回路２２で設定される。図３では、ｔ１及びｔ２が、ｔ１＜ｔ２とされ、それぞれ１０[ｕｓ]以内とされる。
【００２８】
電流検出器２０の出力がＩ１を超えた時点からｔ１経過後に、遮断信号２５が出力され、上アーム回路１８を構成する半導体スイッチング素子が遮断停止する。その後、電流検出器２０の出力が、Ｉ１’以下になると、上アーム回路１８の保護状態は解除され、制御信号２７に従い、上アーム回路１８を構成する半導体スイッチング素子がＯＮ／ＯＦＦ動作する。
【００２９】
その後、Ｉ１’以下に低下した電流検出器２０の出力が、再び上昇して、Ｉ２を超えた時点からｔ２経過後に、遮断信号２６が出力され、下アーム回路１９を構成する半導体スイッチング素子が遮断停止する。
【００３０】
前述したようにラッチ回路２９は、遮断信号４１がＨｉからＬｏになった場合、Ｌｏ状態に維持された遮断信号２６を出力し、Ｌｏ状態の遮断信号２６を出力した時点から一定時間ｔ３経過後に、下アーム回路１９を構成する半導体スイッチング素子の保護状態を解除する回路である。保護状態の解除後は、制御信号２８に従い、再び下アーム回路１９を構成する半導体スイッチング素子が動作する。
【００３１】
ここで図３において、電流検出器２０の出力がＩ１を超えている場合、Ｉ１＞Ｉ２の関係より、電流検出器２０の出力はＩ２も超えることになるが、ｔ１＜ｔ２に設定されているため、電流検出器２０の出力の立ち上がりが早い場合、上アームの遮断信号２５が先に出力され、上アーム回路１８を構成する半導体スイッチング素子が遮断停止する。そのため、遮断信号２６は、ｔ２の経過時点までＬｏになっていない。
【００３２】
図４は過電流判定値及び過電流保護動作の別の例を示す図である。図３と同じ符号を示す箇所は、同じものを意味するため説明を省略する。電流検出器２０の出力が、Ｉ１を超えた時点からｔ１経過後に、遮断信号２５が出力され、上アーム回路１８を構成する半導体スイッチング素子が遮断停止する。その後、制御部５からの制御信号２７がＯＦＦとなり、制御信号２７が再びＯＮとなったとき、上アーム回路１８の保護状態は解除され、制御信号２７に従い、再び、上アーム回路１８を構成する半導体スイッチング素子がＯＮ／ＯＦＦ動作する。これ以外の動作については、前述の図３の説明と同じである。
【００３３】
図４では、制御信号２７がＯＦＦ状態からＯＮ状態になったときを保護解除条件とされるが、保護解除条件はこれに限定されるものではない。図３では、電流検出器２０の出力がＩ１を超えた時点からｔ１経過後に遮断状態になるが、その後に電流検出器２０の出力がＩ１’以下になると遮断状態が解除される。ところが、制御信号２７がＯＮ状態のままであると、遮断状態と解除を繰り返すため、Ｉ１前後の過電流が流れ続ける可能性がある。これに対して図４のような制御にすることで、制御信号２７が一旦ＯＦＦしてから再びＯＮするまでは保護が解除されないため、過電流が流れ続けることを防止できる。
【００３４】
図５は図３，４に示すＩ１とＩ２と過電流遮断動作領域との関係を示す図である。図５の縦軸は過電流判定値を表し、横軸は時間を表す。符号Ｉ１，Ｉ２，ｔ１，ｔ２，ｔ３は図３，４に示すＩ１，Ｉ２，ｔ１，ｔ２，ｔ３に等しい。符号Ａ１で示される不動領域は、図１に示す３つの上下アーム対の内、何れかの上下アーム対が短絡したことでＩ１未満の短絡電流がｔ２未満流れたとき、上アーム回路１８及び下アーム回路１９の何れも遮断しない領域である。すなわち不動領域Ａ１は、過電流保護動作が働かない領域である。
【００３５】
符号Ａ２で示される領域は、Ｉ２以上かつＩ１未満の短絡電流がｔ２以上流れたとき、下アーム回路１９を遮断する領域である。符号Ａ３で示される領域は、Ｉ１以上の短絡電流がｔ１以上流れたとき、上アーム回路１８を遮断する領域である。符号Ａ４で示される領域は、Ｉ１以上の短絡電流がｔ２以上流れたとき、上アーム回路１８及び下アーム回路１９を遮断する領域である。
【００３６】
具体的に説明する。半導体スイッチング素子６，９がＯＮ、又は半導体スイッチング素子７，１０がＯＮ、又は半導体スイッチング素子８，１１がＯＮとなったとき、コンデンサ３の高電位側から上アーム回路１８、下アーム回路１９及び電流検出器２０を介して、コンデンサ３の低電位側に電流が流れる。この電流が流れる経路のインダクタンスは極めて低いため、電流が急峻に増加し、Ｉ１以上の大電流が流れる。このような電流が流れたとき、過電流保護装置１２０は、電流検出器２０の出力がＩ１を超えた時点からｔ１経過時に駆動信号３０を瞬時に遮断し、短絡による破壊を防止する。
【００３７】
これに対し、モータ巻線を経由する過電流が流れた場合、電流が流れる経路にモータ巻線があるためインダクタンスが高く、電流が緩やかに増加する。このような電流が流れたとき、過電流保護装置１２０は、Ｉ１より小さいＩ２を超えた時点からｔ２経過時に駆動信号３１を遮断することにより下アーム回路１９を停止させて、モータ２００や半導体スイッチング素子の破壊を防止する。
【００３８】
半導体スイッチング素子がワイドバンドギャップ半導体の一例であるＧａＮ（窒化ガリウム）やＧａ２Ｏ３（酸化ガリウム）などで構成されている場合、この半導体スイッチング素子は短絡耐量が低いため、上下アームの半導体スイッチング素子が短絡した際、瞬時に遮断停止する必要がある。遮断停止までの時間であるｔ１を小さい値、例えば２００[ｎｓ]に設定すれば、上アームの遮断により短絡破壊を防止することができる。この場合、ｔ１が小さいためにノイズ等で誤動作する可能性が高いため、上アームの遮断は、制御信号２７が一旦ＯＦＦした後、再びＯＮすることで、保護が解除され運転を継続できる。
【００３９】
モータ巻線を経由する過電流に対しては、前述のとおりＩ１より小さいＩ２を設定し、ｔ１より大きくかつノイズの影響を受けにくいｔ２、例えば３[ｕｓ]を設定することにより、下アーム回路１９を遮断し安全に停止することができると共に、ノイズにより頻繁に遮断停止することを防止できる。
【００４０】
図２に示すように遮断信号２５，２６を制御部５に入力することにより、制御部５は遮断信号２５，２６のどちらが遮断状態になったかを判定できる。これによりインバータ回路１１０の異常状態を判定することもできる。例えば、上アーム回路１８が遮断した場合、すなわち遮断信号２５が遮断状態になったときには上下アーム短絡が発生したと判定し、下アーム回路１９が遮断した場合、すなわち遮断信号２６が遮断状態になったときにはモータ巻線を経由して過電流が流れる異常、例えばモータロックなどが発生したと判定できる。
【００４１】
実施の形態２．
図６は本発明の実施の形態２に係る過電流保護回路の構成例を示す図である。図６において図２と同じ符号を示すものは同じものを示すため、説明を省略する。図２に示される過電流保護装置１２０との相違点は、図６に示される過電流保護装置１２０では、第１の駆動信号生成部３８が省かれ、制御信号２７が図２に示す駆動信号３０として出力され、遮断信号２６が論理回路３７及び制御部５のみに入力され、遮断信号４２が第２の駆動信号生成部３９に入力されることである。
【００４２】
図６に示す過電流保護装置１２０によれば、制御信号２７，２８及び駆動信号３１がＨｉの場合には半導体スイッチング素子がＯＮとなり、制御信号２７，２８及び駆動信号３１がＬｏの場合には半導体スイッチング素子がＯＦＦとなり、遮断信号２５，２６，４１，４２がＨｉの場合には正常状態となり、遮断信号２５，２６，４１，４２がＬｏの場合には遮断状態となる。但しこれらの論理の組合せは一例であり、適宜変更可能である。
【００４３】
第１のフィルタ回路２１の出力と第１の判定値３４ａとが比較器３２で比較され、第１のフィルタ回路２１の出力が第１の判定値３４ａを超えた場合、比較器３２の出力である遮断信号２５がＬｏとなる。論理回路３７は、ラッチ回路２９から出力される遮断信号２６と遮断信号２５との論理積をとり、遮断信号２６及び遮断信号２５がＬｏのとき、論理回路３７はＬｏレベルの遮断信号４２を出力する。
【００４４】
同様に、第２のフィルタ回路２２の出力と第２の判定値３５ａとが比較器３３で比較され、第２のフィルタ回路２２の出力が第２の判定値３５ａを超えた場合、比較器３３の出力である遮断信号４１がＬｏとなる。制御部５からのリセット信号４０によりラッチ回路２９の保持状態がリセットされていない場合、ラッチ回路２９から出力される遮断信号２６がＬｏとなる。第２の駆動信号生成部３９は、遮断信号４２と制御信号２８との論理積をとり、駆動信号３１がＬｏになることで、図１に示す下アーム回路１９が遮断する。
【００４５】
また図６に示す過電流保護装置１２０は、図２に示す過電流保護装置１２０と同様に、遮断信号２５，２６を制御部５に入力して、制御部５が遮断状態、過電流が発生したことを検出できる。また図６に示す過電流保護装置１２０は、過電流が発生したことを検出した後、半導体スイッチング素子をＯＦＦ状態にする制御信号２７，２８、すなわちＬｏレベルの制御信号２７，２８を出力することで、インバータ回路１１０全体を停止させることもできる。
【００４６】
実施の形態２に係る過電流保護装置１２０によれば、第１の判定値３４ａ、第２の判定値３５ａ、ｔ１及びｔ２によらず、過電流が発生したときに下アーム回路１９のみ停止し、安定してモータ２００を停止できる。
【００４７】
実施の形態３．
図７は本発明の実施の形態３に係るコンバータ装置の構成例を示す図である。図７に示すコンバータ装置３００は、整流回路３１０及び過電流保護装置１２０を備える。過電流保護装置１２０の構成は、実施の形態１又は実施の形態２に示す過電流保護装置１２０と同様である。整流回路３１０は、上アーム回路１８及び下アーム回路１９を備える。図７に示す上アーム回路１８は、２つの半導体スイッチング素子６，７と、半導体スイッチング素子６，７のそれぞれに並列接続される２つのダイオード１２，１３とを備える。図７に示す下アーム回路１９は、２つの半導体スイッチング素子９，１０と、半導体スイッチング素子９，１０のそれぞれに並列接続される２つのダイオード１５，１６とを備える。
【００４８】
半導体スイッチング素子６と半導体スイッチング素子９との接続点と、交流電源１との間にはリアクタ４３が設けられる。上アーム回路１８の出力端と下アーム回路１９の出力端との間にはコンデンサ３が接続される。コンデンサ３は、上アーム回路１８及び下アーム回路１９により整流された直流電圧を平滑する平滑コンデンサである。電流検出器２０は、コンデンサ３のマイナス側から下アーム回路１９に流れこむ電流を検出する。
【００４９】
なお、上アーム回路１８及び下アーム回路１９のそれぞれを構成する半導体スイッチング素子の数は２つに限定されず、またダイオード１２，１３，１５，１６は半導体スイッチング素子６，７，９，１０に内蔵される寄生ダイオードでもよい。
【００５０】
コンバータ装置３００は昇圧や力率改善回路として動作する。制御部５からの駆動信号３０，３１により半導体スイッチング素子がＯＮ／ＯＦＦ動作することで、交流電源１をリアクタ４３を介して短絡させてリアクタ４３にエネルギーを蓄積させ、蓄積されたエネルギーをコンデンサ３に開放することで昇圧や力率改善の動作が行われる。
【００５１】
制御部５は、上アーム回路１８をＯＮ／ＯＦＦ制御するための制御信号２７を第１の遮断回路２３に出力する。電流検出器２０からの出力は第１のフィルタ回路２１及び第２のフィルタ回路２２に入力される。
【００５２】
第１のフィルタ回路２１の出力は第１の遮断回路２３に入力され、第１の遮断回路２３が過電流と判定しない場合、駆動信号３０は制御信号２７と相似の駆動信号となり、第１の遮断回路２３が過電流と判定した場合、駆動信号３０を遮断する。これにより上アーム回路１８の動作が停止する。
【００５３】
同様に、第２のフィルタ回路２２の出力は第２の遮断回路２４に入力され、第２の遮断回路２４が過電流と判定しない場合、駆動信号３１は制御信号２８と相似の駆動信号となり、第２の遮断回路２４が過電流と判定した場合、駆動信号３１を遮断する。これにより下アーム回路１９の動作が停止する。過電流遮断の動作については、実施の形態１，２の動作と共通であるため説明を省略する。
【００５４】
実施の形態３に係るコンバータ装置３００によれば、実施の形態１，２のインバータ装置１００と同様に、過電流保護の不要動作を防ぎながら半導体スイッチング素子を過電流から保護できるという効果を奏する。
【００５５】
実施の形態４．
図８は本発明の実施の形態４に係る空気調和機の構成例を示す図である。空気調和機４００は、室内機４１０と、室内機４１０に接続される室外機４２０とを備える。室内機４１０には送風機の駆動源としてのモータ２００が設けられている。室外機４２０には、送風機の駆動源としてのモータ２００と、圧縮機の駆動源としてのモータ２００が設けられている。室内機４１０及び室外機４２０の少なくとも一方には、実施の形態１，２に係るインバータ装置１００が設けられる。室内機４１０及び室外機４２０に設けられるモータ２００は、当該インバータ装置１００で駆動される。
【００５６】
なお室内機４１０及び室外機４２０の少なくとも一方に、実施の形態３に係るコンバータ装置３００を設けて、コンバータ装置３００から出力される直流電圧を交流電圧に変換するインバータ回路でモータ２００を駆動してもよい。実施の形態１，２に係るインバータ装置１００又は実施の形態３に係るコンバータ装置３００を用いることにより、過電流保護の不要動作を防ぎながら内部回路を過電流から保護できる空気調和機４００を実現でき、信頼性の高い空気調和機４００を得ることができる。
【００５７】
なお実施の形態１〜３では、電流検出器２０の出力がＩ１を超えた時点からｔ１経過時に上アーム回路１８を停止させ、電流検出器２０の出力がＩ２を超えた時点からｔ２経過後に下アーム回路１９を停止させる構成例を説明したが、電流検出器２０の出力がＩ１を超えた時点からｔ１経過時に下アーム回路１９を停止させ、電流検出器２０の出力がＩ２を超えた時点からｔ２経過後に上アーム回路１８を停止させてもよい。下アーム回路１９は上アーム回路１８よりもグランドに近いために電位が安定している。そのため、上下アームの内、下アームを構成する半導体スイッチング素子の方がノイズ等の影響を受けにくく、安定に遮断停止させることができる。
【００５８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５９】
１  交流電源、２  整流器、３  コンデンサ、５  制御部、６，７，８，９，１０，１１  半導体スイッチング素子、１２，１３，１４，１５，１６，１７  ダイオード、１８  上アーム回路、１９  下アーム回路、２０  電流検出器、２１  第１のフィルタ回路、２２  第２のフィルタ回路、２３  第１の遮断回路、２４  第２の遮断回路、２５，２６  遮断信号、２７，２８  制御信号、２９  ラッチ回路、３０，３１  駆動信号、３２，３３  比較器、３４  第１の判定値設定部、３４ａ  第１の判定値、３５  第２の判定値設定部、３５ａ  第２の判定値、３７  論理回路、３８  第１の駆動信号生成部、３９  第２の駆動信号生成部、４０  リセット信号、４１，４２  遮断信号、４３  リアクタ、１００  インバータ装置、１１０  インバータ回路、１２０  過電流保護装置、２００  モータ、３００  コンバータ装置、３１０  整流回路、４００  空気調和機、４１０  室内機、４２０  室外機。
【図１】
0006656471.tif 000002
【図２】
0006656471.tif 000003
【図３】
0006656471.tif 000004
【図４】
0006656471.tif 000005
【図５】
0006656471.tif 000006
【図６】
0006656471.tif 000007
【図７】
0006656471.tif 000008
【図８】
0006656471.tif 000009